(57)【要約】【課題】ビデオ録画再生装置で録画した番組等について、携帯テレビ受信装置で未視聴の部分や映像信号または音声信号が低品質な状態で見た部分を簡単に判別可能とする。【解決手段】テレビ放送を選局する操作入力を受け付けて受信するチャンネルを選局し、テレビ放送から少なくとも映像信号と音声信号とを受信する選局部２と、選局部２がテレビ放送から受信した映像信号と音声信号とを出力する出力手段（表示部６，スピーカ７）とを有するテレビ受信部１９と、前記テレビ受信部１９における映像信号と音声信号の出力状態に関するデータを記憶する記憶部５とを備えた携帯テレビ受信装置である。記憶部５に記憶されたデータは、見易いフォーマットで、携帯テレビ受信装置１０１の表示部６に表示され、あるいは、外部記憶部１２等を介してビデオ録画再生装置１０２へ送られる。【選択図】図１
2008104093.tif 000002
【特許請求の範囲】
【請求項１】
テレビ放送を選局する操作入力を受け付けて受信するチャンネルを選局し、テレビ放送から少なくとも映像信号と音声信号とを受信する選局部と、前記選局部がテレビ放送から受信した映像信号と音声信号とを出力する出力手段とを有するテレビ受信部と、
前記テレビ受信部における映像信号と音声信号の出力状態の少なくとも一方に関するデータを記憶する記憶部とを備えたことを特徴とするテレビ受信装置。
【請求項２】
前記記憶部は、前記映像信号と音声信号の出力状態に関するデータに関連付けて、当該データが取得された時点で視聴されていた番組の情報を記憶する、請求項１記載のテレビ受信装置。
【請求項３】
前記記憶部は、前記映像信号と音声信号の出力状態に関するデータに関連付けて、当該データが取得された時点における前記選局部のテレビ放送電波の受信状態を記憶する、請求項１または２記載のテレビ受信装置。
【請求項４】
前記選局部は、受信するテレビ放送電波の周波数帯域を変更可能である、請求項１〜３のいずれか一項に記載のテレビ受信装置。
【請求項５】
前記記憶部の前記映像信号と音声信号の出力状態に関するデータを表示用フォーマットに変換して出力する制御部と、
前記表示用フォーマットに基づいて、前記映像信号と音声信号の出力状態に関するデータを表示する表示部とを備えた、請求項１〜４のいずれか一項に記載のテレビ受信装置。
【請求項６】
テレビ放送を選局する操作入力を受け付けて受信するチャンネルを選局し、テレビ放送から少なくとも映像信号と音声信号とを受信する選局部と、録画再生の操作入力を受け付けて少なくとも映像信号と音声信号とを、録画時刻情報とチャンネル情報と番組情報との少なくともいずれか一つを含む録画情報と共に記録する記録手段と、前記記録した映像信号と音声信号とを再生する再生手段とを有する録画再生部と、
ビデオ録画再生装置外部のテレビ受信部における映像信号と音声信号の出力状態に関するデータを記憶する記憶部と、
表示装置と、
前記記憶部の映像信号と音声信号の出力状態に関するデータと、前記録画再生部の前記録画情報を表示用フォーマットに変換し、前記表示装置へ出力する制御部と、
視聴者から映像信号と音声信号の再生部分の指定入力を受け付ける操作部とを備え、
前記録画再生部の再生手段が、前記操作部によって指定入力された再生部分の映像信号と音声信号とを前記記録手段から再生することを特徴とするビデオ録画再生装置。
【請求項７】
前記操作部が、前記映像信号と音声信号の出力状態に関するデータの変化時点における映像信号の静止画像を生成し、前記表示装置へ出力する、請求項６に記載のビデオ録画再生装置。
【請求項８】
前記記憶部が、前記録画再生部において再生した映像信号と音声信号の情報をさらに記憶し、
前記制御部が、前記録画再生部において再生した映像信号と音声信号の情報を前記表示用フォーマットに付加する、請求項６記載のビデオ録画再生装置。
【請求項９】
請求項１〜５のいずれか一項に記載のテレビ受信装置と、請求項６〜８のいずれか一項に記載のビデオ録画再生装置とを含むビデオ録画再生システムであって、
前記テレビ受信装置の記憶部および前記ビデオ録画再生装置の記憶部が、前記テレビ受信装置および前記ビデオ録画再生装置の両者に対して脱着可能な共通の可搬型記憶媒体であることを特徴とするビデオ録画再生システム。
【請求項１０】
請求項１〜５のいずれか一項に記載のテレビ受信装置と、請求項６〜８のいずれか一項に記載のビデオ録画再生装置とを含むビデオ録画再生システムであって、
前記テレビ受信装置および前記ビデオ録画再生装置が、前記テレビ受信装置の記憶部に記憶されたデータと、前記ビデオ録画再生装置の記憶部に記憶されたデータとを送受信する通信部をそれぞれ備えたことを特徴とするビデオ録画再生システム。
【発明の詳細な説明】
【技術分野】
【０００１】
本発明は、テレビ受信装置およびビデオ録画再生装置に関するものであり、特に、視聴した番組の映像信号と音声信号の出力状態を記憶することにより、視聴者が再視聴の判断を容易に行えるテレビ受信装置およびビデオ録画再生装置並びにこれらを備えたビデオ録画再生システムに関する。
【背景技術】
【０００２】
近年、携帯電話や車載用のテレビ受信装置等の移動体用途のデジタル放送受信装置において、デジタルテレビ放送を受信するための技術が開発されている。これにともない、テレビ受信装置は、屋内、戸外を問わず使用できるため、視聴機会や場所が拡大されることが予想される。また、日本国内の地上デジタル放送では、１チャンネルの周波数帯域（６ＭＨｚ）を１３分割し、最も受信しやすい１チャンネルの中心周波数の１つ（１セグメント）の周波数帯域でモバイル向けの放送をおこなう。また、分割したその他の１２（１２セグメント）の周波数帯域では、ハイビジョン放送等をおこなう。
【０００３】
テレビ受信装置では、放送電波の状態によっては、放送を正しく受信できない場合がある。特に、携帯型のテレビ受信装置は、周囲の環境変化による放送電波の受信状態の変化や視聴者の事情によって、テレビ放送を連続的に見続けることができないことがある。そのような場合、携帯型のテレビ受信装置で視聴した番組を後で見直したいという要望がある。
【０００４】
そのため、従来の携帯端末装置の中には、放送電波が途絶えたときに、その時刻とチャンネルとをしおりとして記憶し、それをテレビ受信記録再生装置へ送り、しおりの情報をもとに未視聴部分を再生するものがある（例えば特許文献１参照）。
【０００５】
また、従来の携帯型情報端末装置では、受信して表示した映像信号の視聴履歴を記憶し、記録再生装置において、前記視聴履歴を参照して再生を行うものもある（例えば特許文献２参照）。
【特許文献１】特開２００５−１８４１８０号公報
【特許文献２】特開２００５−２８６８５５号公報
【発明の開示】
【発明が解決しようとする課題】
【０００６】
しかしながら、上記した従来の構成では、視聴者が再視聴の要否を判断することは容易ではない。例えば、特許文献１の構成では、テレビ受信部で受信するテレビ電波が途絶えたときの時刻とチャンネルしかしおりとして記憶していない。また、前記従来の特許文献２の構成では、受信して表示した映像信号の視聴履歴を記憶しているが、映像信号の質や表示した画質については、記憶されていない。そのため、視聴者が、例えば、自らが視聴した番組のうち、映像信号または音声信号の出力状態が悪かった部分だけを再視聴することは不可能であった。
【０００７】
本発明は、前記従来の課題を解決するもので、視聴者がテレビ受信装置で番組を視聴したときの映像信号と音声信号の出力状態を記憶し、視聴後にそれを確認できるテレビ受信装置を提供することと、視聴者の嗜好を容易に反映して再生する部分を指定することができるビデオ録画再生装置およびビデオ録画再生システムを提供することを目的とする。
【課題を解決するための手段】
【０００８】
上記の目的を達成するため、本発明にかかるテレビ受信装置は、テレビ放送を選局する操作入力を受け付けて受信するチャンネルを選局し、テレビ放送から少なくとも映像信号と音声信号とを受信する選局部と、前記選局部がテレビ放送から受信した映像信号と音声信号とを出力する出力手段とを有するテレビ受信部と、前記テレビ受信部における映像信号と音声信号の出力状態の少なくとも一方に関するデータを記憶する記憶部とを備えたことを特徴とする。
【０００９】
また、本発明にかかるビデオ録画再生装置は、テレビ放送を選局する操作入力を受け付けて受信するチャンネルを選局し、テレビ放送から少なくとも映像信号と音声信号とを受信する選局部と、録画再生の操作入力を受け付けて少なくとも映像信号と音声信号とを、録画時刻情報とチャンネル情報と番組情報との少なくともいずれか一つを含む録画情報と共に記録する記録手段と、前記記録した映像信号と音声信号とを再生する再生手段とを有する録画再生部と、ビデオ録画再生装置外部のテレビ受信部における映像信号と音声信号の出力状態に関するデータを記憶する記憶部と、表示装置と、前記記憶部の映像信号と音声信号の出力状態に関するデータと、前記録画再生部の前記録画情報を表示用フォーマットに変換し、前記表示装置へ出力する制御部と、視聴者から映像信号と音声信号の再生部分の指定入力を受け付ける操作部とを備え、前記録画再生部の再生手段が、前記操作部によって指定入力された再生部分の映像信号と音声信号とを前記記録手段から再生することを特徴とする。
【００１０】
また、本発明にかかる第１のビデオ録画再生システムは、本発明にかかるテレビ受信装置と、本発明にかかるビデオ録画再生装置とを含むビデオ録画再生システムであって、前記テレビ受信装置の記憶部および前記ビデオ録画再生装置の記憶部が、前記テレビ受信装置および前記ビデオ録画再生装置の両者に対して脱着可能な共通の可搬型記憶媒体であることを特徴とする。
【００１１】
本発明にかかる第２のビデオ録画再生システムは、本発明にかかるテレビ受信装置と、本発明にかかるビデオ録画再生装置とを含むビデオ録画再生システムであって、前記テレビ受信装置および前記ビデオ録画再生装置が、前記テレビ受信装置の記憶部に記憶されたデータと、前記ビデオ録画再生装置の記憶部に記憶されたデータとを送受信する通信部をそれぞれ備えたことを特徴とする。
【発明の効果】
【００１２】
本発明によれば、テレビ放送を視聴したときのテレビ受信部の映像信号と音声信号の出力状態を記憶しておき、この記憶部を参照することにより、テレビ受信部の映像信号と音声信号の出力状態を後で確認することができる。従って、視聴者は、前記記憶部を参照すれば、テレビ受信部の映像信号と音声信号の出力状態等が原因でテレビ受信装置によって視聴できなかった番組について、嗜好を反映して再視聴部分を容易に指定できる。
【発明を実施するための最良の形態】
【００１３】
本発明にかかるテレビ受信装置は、テレビ放送を選局する操作入力を受け付けて受信するチャンネルを選局し、テレビ放送から少なくとも映像信号と音声信号とを受信する選局部と、前記選局部がテレビ放送から受信した映像信号と音声信号とを出力する出力手段とを有するテレビ受信部と、前記テレビ受信部における映像信号と音声信号の出力状態の少なくとも一方に関するデータを記憶する記憶部とを備えたことを特徴とする。
【００１４】
本発明にかかるテレビ受信装置において、前記記憶部は、前記映像信号と音声信号の出力状態に関するデータに関連付けて、当該データが取得された時点で視聴されていた番組の情報を記憶することが好ましい。
【００１５】
本発明にかかるテレビ受信装置において、前記記憶部は、前記映像信号と音声信号の出力状態に関するデータに関連付けて、当該データが取得された時点における前記選局部のテレビ放送電波の受信状態を記憶することが好ましい。
【００１６】
本発明にかかるテレビ受信装置において、前記選局部は、受信するテレビ放送電波の周波数帯域を変更可能であることが好ましい。
【００１７】
本発明にかかるテレビ受信装置において、前記記憶部の前記映像信号と音声信号の出力状態に関するデータを表示用フォーマットに変換して出力する制御部と、前記表示用フォーマットに基づいて、前記映像信号と音声信号の出力状態に関するデータを表示する表示部とを備えたことが好ましい。
【００１８】
本発明にかかるビデオ録画再生装置は、テレビ放送を選局する操作入力を受け付けて受信するチャンネルを選局し、テレビ放送から少なくとも映像信号と音声信号とを受信する選局部と、録画再生の操作入力を受け付けて少なくとも映像信号と音声信号とを、録画時刻情報とチャンネル情報と番組情報との少なくともいずれか一つを含む録画情報と共に記録する記録手段と、前記記録した映像信号と音声信号とを再生する再生手段とを有する録画再生部と、ビデオ録画再生装置外部のテレビ受信部における映像信号と音声信号の出力状態に関するデータを記憶する記憶部と、表示装置と、前記記憶部の映像信号と音声信号の出力状態に関するデータと、前記録画再生部の前記録画情報を表示用フォーマットに変換し、前記表示装置へ出力する制御部と、視聴者から映像信号と音声信号の再生部分の指定入力を受け付ける操作部とを備え、前記録画再生部の再生手段が、前記操作部によって指定入力された再生部分の映像信号と音声信号とを前記記録手段から再生することを特徴とする。
【００１９】
本発明にかかるビデオ録画再生装置において、前記操作部が、前記映像信号と音声信号の出力状態に関するデータの変化時点における映像信号の静止画像を生成し、前記表示装置へ出力することが好ましい。
【００２０】
本発明にかかるビデオ録画再生装置において、前記記憶部が、前記録画再生部において再生した映像信号と音声信号の情報をさらに記憶し、前記制御部が、前記録画再生部において再生した映像信号と音声信号の情報を前記表示用フォーマットに付加することが好ましい。
【００２１】
以下、本発明の実施形態のより具体的な例について、図面を参照しながら説明する。
【００２２】
（実施の形態１）
図１は、本発明の実施の形態１におけるビデオ録画再生システムを示す構成図である。図１において、１０１は携帯テレビ受信装置、１０２はビデオ録画再生装置である。携帯テレビ受信装置１０１は、視聴者が簡単に抱えて、あるいは手に持って移動させることのできるテレビ受信装置である。ビデオ録画再生装置１０２は、テレビ放送を受信してその映像信号と音声信号を記録し、記録した映像信号と音声信号を再生する。また、時間とチャンネル等を指定することにより、予約録画を行うこともできる。
【００２３】
携帯テレビ受信装置１０１は、テレビ受信部１９、携帯電話送受信部１０、アンテナ１１、外部記憶部１２、および通信部１３を備えている。テレビ受信部１９は、携帯テレビ受信装置１０１において、テレビ放送を受信・選局し、映像・音声・情報データを出力し、テレビ基本機能をつかさどるブロックであり、図１に示すように、アンテナ１、選局部２、復号部３、制御部４、記憶部５、表示部６、スピーカ７、操作部８、およびタイマー９を含む。
【００２４】
アンテナ１は、テレビ放送の電波を受信する。選局部２は、視聴者の操作などにより番組のテレビ信号（チャンネル）を選局し、放送電波の受信状態に応じて、受信しやすい周波数帯域に変更する。復号部３は、選局部２で選択したチャンネルの信号を、映像信号、音声信号、および情報データに復号する。制御部４は、携帯テレビ受信装置１０１の各部を制御する。記憶部５には、選局部２の受信状態を表す受信状態データと、テレビ放送の映像信号および音声信号の出力状態を表す出力状態データとを記憶する。前記受信状態データは、選局中のチャンネルの電波の周波数帯域の変更状況を表すデータを含む。
【００２５】
表示部６は、復号された映像信号を表示する。スピーカ７は、復号された音声信号を出力する。操作部８は、視聴者が選局などの操作を行うための入力手段であり、電源スイッチや、所望の番組を選択して視聴するためのチャンネルのアップ・ダウンキーなどが配置される。タイマー９は、時刻を刻む。携帯電話送受信部１０は、双方向の通話とともに、電子メールの送受信をおこなう。アンテナ１１は、携帯電話の信号を送受信する。
【００２６】
外部記憶部１２は着脱可能であり、記憶部５の記憶内容を双方向でコピーする。通信部１３は、外部機器と通信をおこなうもので、ＬＡＮ、無線ＬＡＮ、ブルーツース、ＵＳＢ、赤外線通信、ＩＥＥＥ１３９４などが用いられる。
【００２７】
また、ビデオ録画再生装置１０２は、外部記憶部１４、制御部１５、通信部１６、テレビ受信部１７、録画再生部１８、操作部２０を備えている。
【００２８】
外部記憶部１４は着脱可能であり、外部記憶部１２の記憶内容を双方向でコピーし、外部記憶部１２と置換えが可能である。制御部１５は、ビデオ録画再生装置１０２の各部を制御する。通信部１６は、外部機器と通信をおこなうもので、ＬＡＮ、無線ＬＡＮ、ブルーツース、ＵＳＢ、赤外線通信、ＩＥＥＥ１３９４などが用いられ、通信部１３と双方向で通信する。テレビ受信部１７は、ビデオ録画再生装置１０２において、テレビ放送を受信・選局し、映像・音声・情報データを出力する。録画再生部１８は、テレビ放送の映像信号と音声信号を記憶し、映像信号と音声信号とを再生する。
【００２９】
操作部２０は、視聴者から、ビデオ録画再生装置１０２の設定や操作の入力を受け付ける。外部記憶部１４は、外部記憶部１２と記憶内容を双方向でコピーし、携帯テレビ受信装置１０１のテレビ受信部１９における映像信号と音声信号の出力状態や放送電波の受信状態に関するデータを記憶する。表示装置１０３は、ビデオ録画再生装置１０２の出力する映像を表示する。スピーカ１０６は、ビデオ録画再生装置１０２の出力する音声を出力する。
【００３０】
なお、携帯テレビ受信装置１０１は、電話・ネットワーク網１０４を介して、ビデオ録画再生装置１０２と通信が可能である。電話・ネットワーク網１０４は、電話回線やネットワーク網で、通話やデータ通信の媒体である。ネットワーク通信装置１０５は、ネットワーク通信を制御する。
【００３１】
図１に示したように、携帯テレビ受信装置１０１で、選局部２は、選局し受信する電波の周波数帯域を変更可能である。選局部２は、通常は広帯域の周波数で受信し、電波状態が悪くなると、受信しやすい狭い帯域の周波数に受信を切り替える。広帯域の周波数で受信するほうが、狭い帯域の周波数で受信するよりも、単位時間内の情報量が多いため、表示部６およびスピーカ７に高品質な映像や音声の出力ができる。例えば、国内地上デジタル放送を受信する場合は、通常（電波状態が良いとき）は１２セグメントで受信し、電波状態が悪くなると１セグメントの受信に切り替える。電波状態がかなり悪くなると１セグメントでも受信できなくなる。選局部２の周波数帯域の切替えは、受信状態を検出して自動で行ってもよいし、視聴者が手動で行ってもよい。なお、周波数帯域は、放送方式によりどのように切り分けてもよい。本実施形態では、受信状態として、（１）１２セグメントの受信、（２）１セグメントの受信、（３）受信できない場合、の３つの状態がある。携帯テレビ受信装置１０１の制御部４は、受信時に、受信状態がこの３つのどれであるかを判別し、判別した受信状態を表す受信状態データを記憶部５へ記憶する。
【００３２】
図２は、記憶部５に記憶される、テレビ放送電波の受信状態、テレビ受信部の映像信号出力表示状態、および音声信号出力状態を表すデータのフォーマット例である。なお、図２では、記憶部５におけるデータ例を表形式で例示するが、実際のデータの表現形式および格納形式はこの例に限定されない。また、図２に示すように、記憶部５には、受信状態、チャンネル、映像信号出力表示状態、音声信号出力状態、開始日時、終了日時、視聴中の番組情報のデータが、制御部４によって記憶される。制御部４は、携帯テレビ受信装置１０１の受信状態、チャンネル、映像信号出力表示状態、音声信号出力状態、および、視聴中の番組情報の少なくとも一つに変化があるごとに、記憶部５に新たなレコードを追加して記憶する。
【００３３】
受信状態データとしては、選局部２が、１２セグメントで受信した場合は“１２”、１セグメントで受信した場合は“１”、受信できない場合は“×”が設定される。チャンネルデータとしては、選局部２が選択したチャンネルの番号が設定される。
【００３４】
映像信号出力表示状態データとしては、表示部６にテレビ放送の映像を全画面で表示した場合は“ｆｕｌｌ”、表示部６の半画面で表示した場合は“ｈａｌｆ”、テレビ放送を表示していない場合は“×”が設定される。なお、前記設定値が“ｈａｌｆ”の場合は、表示部６の半画面にテレビ放送の映像信号出力を表示し、残りの半分にＷｅｂメニューやデータ放送表示を行う場合等である。音声信号出力状態データとしては、スピーカ７にテレビ放送の音声を出力した場合は“○”、出力していない場合は“×”が設定される。
【００３５】
開始日時データには、そのレコードで表す受信状態が発生した日時が設定される。終了日時としては、そのレコードで表す受信状態が終了した日時が設定される。番組情報としては、データ放送やインターネットから取得された番組情報（番組名や放送時間や放送局名など）が設定される。なお、データ放送やインターネットから番組情報を取得できない場合は、番組情報（番組名や放送時間や放送局名など）は記憶しなくてもよい。
【００３６】
なお、放送電波の受信状態は短時間で変化することがある。また、視聴者がチャンネルを選択する場合には、複数のチャンネルの番組を短時間ずつ見てから、最終的にチャンネルを決める場合がある。従って、上述のとおり、制御部４は、原則的には、携帯テレビ受信装置１０１の受信状態、チャンネル、映像信号出力表示状態、音声信号出力状態、および、視聴中の番組情報の少なくとも一つに変化があるごとに、記憶部５に新たなレコードを追加して記憶するが、短時間（例えば１分以内）の変化は無視する処理をしたほうがよい。すなわち、受信状態、映像信号出力表示状態、音声信号出力状態の変化が生じても、その変化が生じた時点が前回の変化から１分未満であれば、その前後の時間のその設定値の悪い方を設定値として設定する。ただし、それでも、設定値の変化が１分未満であれば、１分以上になるまで繰り返す。チャンネルの設定値の変化が１分未満であれば、未視聴を設定値として設定する。
【００３７】
図２の例では、以下の状況が記憶されている。２００６／４／２０  １８：００：５３にテレビ放送の受信を開始し、２００６／４／２０  １８：０３：４５まで、３２チャンネルの「プロ野球〜Ａ球場  チームＢ×チームＣ」のテレビ放送の映像と音声を表示部６とスピーカ７に出力している。受信状態は１２セグメントで、表示部６にテレビ放送映像を全画面表示し、スピーカ７にテレビ放送音声を出力している。２００６／４／２０  １８：０３：４５からは、テレビ視聴中であったが、携帯電話送受信部１０に電話がかかり、スピーカ７が電話の音声にかわりテレビ放送の音声は出力されなくなったため、引きつづき同じ受信状態で同じ番組を表示しているが、音声信号出力の設定が“×”になっている。２００６／４／２０  １８：０５：２０からは、電話通話が終り、スピーカ７にテレビ放送音声を出力するが、表示部６にテレビ放送映像を半画面表示にし、残りの半画面には、データ放送のデータおよび操作メニューを表示している。
【００３８】
２００６／４／２０  １８：１０：３２からは、受信状態が悪くなり、選局部２は、１セグメントに切替えて受信をつづけた。２００６／４／２０  １８：２９：３０からは、さらに受信状態が悪くなり、１セグメントでも受信できなくなっている。２００６／４／２０  １８：２９：４５には、テレビ放送の受信を止めている。２００６／４／２０  １９：３４：０２からテレビ放送の受信を再開し、１２セグメントで受信し、表示部６には、全画面に映像を表示している。２００６／４／２０  １９：５８：００には、チャンネルが“３５”に変更された。このとき、１２セグメントでは受信できないため、１セグメントで受信し、表示部６にテレビ放送映像を半画面表示に表示している。２００６／４／２０  ２０：００：００には、視聴中の番組が変わった。
【００３９】
なお、上記の例では、受信状態データとして３通り（１２，１，×）を例示したが、放送方式により他の受信状態が発生する場合は、他の設定値を用いればよい。また、映像信号出力表示データの例として、“ｆｕｌｌ”、“ｈａｌｆ”、“×”の３つを例示したが、表示部６への映像表示には、主画面や子画面表示などもあり得るので、そのテレビ受信装置の機能に応じて設定値を変更してよい。記憶部５に格納されるデータは、前述したような人間が識別容易な数値や文字に限らず、２進数表記であってもよい。
【００４０】
制御部４は、記憶部５内部の受信状態データと、映像信号出力表示状態データと、音声信号出力状態データとを番組ごとにまとめ、表示部６に表示する機能も有している。図３は、受信状態データと、映像信号出力表示状態データと、音声信号出力状態データとを番組ごとにまとめて表示した例である。制御部４は、記憶部５内に記憶されている番組情報の番組名と放送時間とに基づいて、表示フォーマットを作成し、表示部６に表示する。なお、図３の例では、情報をテキスト表示しているだけであるが、受信状態や映像信号出力表示状態または音声信号出力状態が変化した時点で表示されていた画像の静止画を作成して表示することも好ましい。視聴者が再視聴の判断をし易くなるからである。
【００４１】
かかる構成によれば、携帯テレビ受信装置１０１で番組を視聴したときのテレビ受信部１９の映像信号および音声信号の受信・出力状態や、表示部６とスピーカ７への映像信号と音声信号の出力時刻等を分かりやすく表示することができる。これにより、視聴者は、視聴した番組のどの時間の部分を、どのような受信・出力状態で視聴できたかを確認できるので、それを参考に、同じ番組を再視聴するかどうかを判断することができる。
【００４２】
再視聴したい場合は、再放送を見る方法やビデオ化されていれば、購入／レンタルする方法やインターネット上のビデオサーバーから取得するような方法がある。
【００４３】
テレビ受信装置の形態については、特定していないが、携帯テレビやカーテレビでは、受信状態が変化するため、つねにベストな映像が見られるわけではない。また、現在の携帯テレビは、画面が小さいので、画質の良し悪しがわかりにくいが、携帯テレビでも画面の拡大方法が研究されている。例えば、投写型の携帯テレビであれば、画面が大きくなるため、画質の良し悪しが気になってくる。また、据え置きテレビでも、多画面表示やデータ放送のメニュー表示などを行うので、常に全画面で見られるわけではなく、再視聴の希望も出てくる。
【００４４】
外部記憶部１２は、記憶部５のデータ、すなわち、受信状態、映像信号出力表示状態、および音声信号出力状態に関するデータをコピーする。外部記憶部１２は携帯テレビ受信装置１０１のテレビ受信部１９に対して着脱可能である。これにより、外部記憶部１２を、ビデオ録画再生装置１０２の外部記憶部１４として使用することにより、携帯テレビ受信装置１０１で放送を受信したときの、受信状態、映像信号出力表示状態、および音声信号出力状態に関するデータを、ビデオ録画再生装置１０２に渡すことができる。
【００４５】
記憶部５内のデータをビデオ録画再生装置１０２に渡す方法としては、外部記憶部１２を利用する方法の他に、通信部１３、１６間の通信によって送付する方法や、携帯電話送受信部１０と通信部１６との間で電子メールにより情報交換する方法等がある。
【００４６】
着脱可能な外部記憶部１２や通信部１３や携帯電話送受信部１０により、本機能を持った他のテレビ受信装置との間でも、番組視聴時の受信状態やテレビ受信部の映像信号と音声信号の出力状態の情報をやり取りできる。これにより、本機能を持ったどのテレビ受信装置で視聴してもその情報は一元化できる。
【００４７】
携帯テレビ受信装置１０１で視聴した同じ番組を、ビデオ録画再生装置１０２で見る方法としては、事前にビデオ録画再生装置１０２において録画予約して録画する方法や、ビデオ化されている番組については、ビデオを購入またはレンタルする方法などがある。また、携帯テレビ受信装置１０１の携帯電話送受信部１０により、電子メールにより、ビデオ録画再生装置１０２に予約録画命令を送る方法もある。
【００４８】
携帯電話送受信部１０から送出した前記電子メールは、電話網・ネットワーク１０４、ネットワーク通信装置１０５を介し、ビデオ録画再生装置１０２の通信部で受信し、前記電子メールの録画予約コマンドにより、制御部１５で録画予約を設定する。予約日時になると制御部１５は録画命令を録画再生部１８に送り、指定番組を録画する。
【００４９】
録画した番組は、番組名／録画開始時間／録画終了時間を録画情報として、映像信号、音声信号とともに録画再生部１８に記録する。なお、録画情報は、番組名、録画開始時間、および録画終了時間の組み合わせに限定されず、番組情報、録画時刻情報、およびチャンネル情報の少なくとも一つを含む任意の組み合わせである。録画情報は、例えば、録画時刻情報とチャンネル情報との組み合わせであっても良い。この場合、番組情報は、録画情報に含まれても良いし、含まれなくて良い。また、録画情報は、番組情報だけであっても良い。また、録画した場所と視聴した場所とにおいて同じ放送局系列が別チャンネルになる場合や、同じ番組を再放送した場合などに対応する場合は、録画時刻情報とチャンネル情報とに加えて番組情報が必要である。
【００５０】
外部記憶部１４内部の、携帯テレビ受信装置１０１における番組視聴時の受信状態やテレビ受信部の映像信号と音声信号の出力状態の情報に基づいて、これらの情報に対応する番組情報を、録画再生部１８から検索する。検索キーとしては、番組／チャンネル／開始日時／終了日時を用いることができる。ただし、外部記憶部１４に番組情報が記憶されていない場合は、外部記憶部１４のチャンネル／開始日時／終了日時と録画番組の録画時のチャンネル／開始日時／終了日時の情報とを比較して、同じ番組を検索する。ビデオ化された番組のビデオを購入またはレンタルした場合や、再放送もしくは別の放送局（チャンネル）から記録したものをビデオ録画再生装置１０２で再生する場合は、チャンネル／開始日時／終了日時は検索対象にできないので、番組情報のみで検索をおこなう。一致する番組があれば、携帯テレビ受信装置１０１で視聴した番組が、ビデオ録画再生装置１０２に記録していることになる。
【００５１】
例えば、ビデオ録画再生装置１０２に、３２チャンネルの２００６／４／２０  １８：００：００から２００６／４／２０  １９：５９：３０までの「プロ野球〜Ａ球場  チームＢ×チームＣ」が、記録されている場合について説明する。
【００５２】
その番組を再生するときに、まず、番組情報で検索し一致すると、さらにチャンネルで検索する。開始日時／終了日時は、ビデオ録画再生装置１０２に記録した番組の時間に含まれている。
【００５３】
図４は、ビデオ録画再生装置の番組ごとに、携帯テレビ受信装置１０１における番組視聴時の受信状態やテレビ受信部の映像信号と音声信号の出力状態のデータを表示した例である。録画再生部１８に記録されている「プロ野球〜Ａ球場  チームＢ×チームＣ」という番組を再生するときに、外部記憶部１４内に記憶されているデータ内の番組情報と、録画再生部１８に記録されている番組／チャンネル／開始日時／終了日時とを対比検索する。検索結果として、制御部１５は、その番組の録画した全時間に対し、外部記憶部１４内に記憶されている、携帯テレビ受信装置１０１における番組視聴時の受信状態やテレビ受信部の映像信号と音声信号の出力状態のデータを、受信・出力状態として表にして、テレビ受信部１７を介して表示装置１０３に表示する。また、受信状態や出力状態の情報がなければ未視聴にする。
【００５４】
また、制御部１５は、前記受信・出力状態の変化点の静止画を作成し表示する。このとき、前記受信・出力状態の変化点の映像信号と音声信号の録画再生部１８の記録場所のポインタを記憶部５に格納しておく。再生箇所として、この変化点が指定される可能性が高いので、指定された場合の処理が速くできる。未視聴または受信不可の場合は、その直前・直後に携帯テレビ受信装置１０１で受信した時刻の映像信号から静止画を作成する。未視聴または受信不可が連続している場合は、その間は、携帯テレビ受信装置１０１でテレビ放送を受信できていないので、静止画は作成しない。視聴者は、その表示内容から、再生したい部分のみを操作部２０から入力する。制御部１６は、この入力を受け付け、再生する部分の時間の帯と再生合計時間を表示する（図４参照）。視聴者は、操作部２０からこの設定の確定を入力し、再生したい部分だけを再生視聴することができる。
【００５５】
なお、録画した番組を再生する場合、すでに視聴した部分については、再視聴することは不要と考える場合もあるが、１セグメントによる受信や半画面（ハーフ）やテレビ放送音声無しで視聴していた部分は、視聴者の嗜好により、再生して見直したいという希望が出てくる可能性がある。このため、本実施形態では、図４に示したような静止画の表示や、録画番組の時間帯の表示を、再生するかどうかの判断材料に使用することができる。
【００５６】
例えば、図４に示した例では、２００６／４／２０  １８：００：００から２００６／４／２０  １８：００：５３までは、携帯テレビ受信装置１０１で未視聴であったが、静止画（図４に示す丸付き数字１）から、この時間帯には番組冒頭のコマーシャルが入っていることが分かるので、視聴者はこの時間帯の放送の録画については再生を要しないと判断した。
【００５７】
また、前もって、携帯テレビ受信装置１０１における番組視聴時の受信状態やテレビ受信部の映像信号と音声信号の出力状態のデータに対してそれぞれ条件を設定しておいて、条件を満たすデータに対応する番組の録画を、自動で再生してもよい。例えば、受信状態が“１２”で、かつ映像信号出力表示状態が“ｆｕｌｌ”で、かつ音声信号出力状態が“○”以外の場合は当該番組の録画を再生するように設定した場合、２００６／４／２０  １８：００：００から２００６／４／２０  １８：００：５３までの視聴番組の録画と、２００６／４／２０  １８：０３：４５から２００６／４／２０  １９：３４：０２までの視聴番組の録画とを自動再生することもできる。また、自動再生する場合には、事前の設定で、各連続した再生箇所をその前後の所定の短時間だけ拡大して再生してもよい。これにより、視聴した番組のうち見たことがある部分も再生されるため、視聴者にとって、番組の前後の繋がりがわかりやすくなる。
【００５８】
操作部２０による再生箇所は、操作部２０の数値キー等を用いて再生開始時間と再生終了時間とを入力し、表示装置１０３に表示された「決定」ボタン（図４参照）を選択して確定操作を行うことにより、指定できる。
【００５９】
再生終了時間の決定を押した時点で１つの再生箇所が決定する。再生箇所が複数ある場合は、再生開始時間と再生終了時間とを入力して決定ボタンで確定する操作を複数繰り返す。再生合計時間には、番組の再生時間が表示される。ここで「再生」ボタン（図４参照）を選択して確定操作を行うことにより、指定箇所の再生が開始される。再生箇所の再生開始時間と再生終了時間としては、番組が録画されている範囲であれば、任意の時間を設定可能である。
【００６０】
かかる構成によれば、視聴後に番組の視聴状態を確認でき、視聴者の嗜好を反映して容易に再生箇所を指定することや、事前の設定により、視聴したい所望の箇所だけを自動再生することができる。
【００６１】
図５は、外部記憶部１４に格納されているテレビ放送電波の受信状態、テレビ受信部の映像信号出力表示状態、および音声信号出力状態に関するデータに、それぞれの視聴箇所が再生済みか否かを表す情報を追加した例である。それぞれの視聴箇所が再生済みであることは、録画再生部１８が当該箇所の再生を行ったときに、制御部１５によって判断され、外部記憶部１４へ記憶される。図５において、再生済みの欄が“○”になっている部分が、再生済みである。
【００６２】
なお、図４に示したフォーマットでは、受信・出力状態の変化に応じて録画情報を分類したものである。これに加えて番組情報を考慮することにより、図５に示すように、より細かい時間単位で区切られた番組単位での操作も可能となる。また、再生済みか否かの情報をさらに考慮すると、同じ番組の一部をさらに細分化して操作することも可能となる。
【００６３】
図６は、図５に示したように、視聴箇所が再生済みであるかの情報が記憶部５に格納されている場合に、表示フォーマット中に当該情報を可視化して表示した例を示す。図６の例では、再生済みの視聴箇所が、線分とその開始時刻および終了時刻の表記と共に表示されている。かかる構成によれば、視聴者は、表示によって再生済みの視聴箇所が判別できるため、再生済みの部分を再度再生したくなければ、容易に除外して再生ができる。
【産業上の利用可能性】
【００６４】
本発明は、テレビ視聴およびビデオ再生において、視聴者の嗜好を反映して容易に再生箇所を指定することができ、番組の見たいところだけ自動再生できるテレビ受信装置およびビデオ録画再生装置並びにビデオ録画再生システムとして、産業上利用可能である。
【図面の簡単な説明】
【００６５】
【図１】本発明の実施の形態１におけるテレビ放送視聴システムを示す構成図
【図２】テレビ放送電波の受信状態とテレビ受信部の映像信号と音声信号の出力状態の記憶フォーマットの例
【図３】テレビ放送電波の受信状態とテレビ受信部の映像信号と音声信号の出力状態の記憶フォーマットの表示例
【図４】ビデオ録画再生装置の番組ごとに電波の周波数帯域の変更を含む選局部の受信状態とテレビ放送の映像信号と音声信号の出力状態の出力表示例
【図５】再生済みを追加したテレビ放送電波の受信状態とテレビ受信部の映像信号と音声信号の出力状態の記憶フォーマットの例
【図６】再生済みを追加したビデオ録画再生装置の番組ごとに電波の周波数帯域の変更を含む選局部の受信状態とテレビ放送の映像信号と音声信号の出力状態の出力表示例
【符号の説明】
【００６６】
１、１１    アンテナ
２    選局部
３    復号部
４、１５    制御部
５、２１    記憶部
６    表示部
７、１０６    スピーカ
８、２０    操作部
９    タイマー
１０    携帯電話送受信部
１２、１４    外部記憶部
１３、１６    通信部
１７、１９    テレビ受信部
１８    録画再生部
１０１    携帯テレビ受信装置
１０２    ビデオ録画再生装置
１０３    表示装置
１０４    電話回線・ネットワーク網
１０５    ネットワーク通信装置
【図１】
2008104093.tif 000003
【図２】
2008104093.tif 000004
【図３】
2008104093.tif 000005
【図４】
2008104093.tif 000006
【図５】
2008104093.tif 000007
【図６】
2008104093.tif 000008